(57)【特許請求の範囲】
【請求項１】
液晶ディスプレィ装置と、
前記液晶ディスプレィ装置の背面側に備え、当該液晶ディスプレィ装置の内部に溜まった熱を逃がす通気口と、前記液晶ディスプレィが表示する情報が記録された記録媒体を再生する記録媒体再生装置とが備えられた自動販売機用液晶ディスプレィ装置であって、
前記記録媒体再生装置の前記背面側には、外気を吸引して前記記録媒体再生装置を冷却する冷却ファンを備え、
前記通気口、前記記録媒体再生装置及び前記冷却ファンを覆う防塵フィルタが備えられている、自動販売機用液晶ディスプレィ装置。
【請求項２】
請求項１に記載の自動販売機用液晶ディスプレィ装置を備えた自動販売機。
【発明の詳細な説明】
【０００１】
【発明の属する技術分野】
本発明は自動販売機用液晶ディスプレィ装置に関し、より詳細には、コーヒーパウダー等の粉末を湯水に溶かし、これを紙コップに注いで販売するカップベンダー型の自動販売機に好適に用いられる自動販売機用液晶ディスプレィ装置に関する。
【０００２】
【従来の技術】
自動販売機は様々な商品を販売するために屋内外に設置されているが、この中でも、自動販売機内部ではコーヒーパウダー等の粉末と、湯水とが別々に分けられた状態で保存されており、利用者がボタン等を押して好みの飲料を選択した際に、これらの中からそれぞれ適切に組み合わせて粉末を湯または水に溶かし、利用者がボタン等を押した際に取り出し口にセットされる紙コップにこれを注いで販売する自動販売機が周知である。このような自動販売機は、「カップベンダー型」と呼ばれる。
【０００３】
このようなカップベンダー型の自動販売機の特徴の１つに、コーヒー、砂糖、クリーム等の量を増減できるということがある。すなわち、多くのカップベンダー型の自動販売機には、これらの量を任意に調節できるボタンが設けられている。
【０００４】
近年では、自動販売機の前を通る者に宣伝・広告を行ってその者の注意を惹きつけて購買意欲を高めるために、正面に液晶ディスプレィが備えられた自動販売機が存在する。すなわち、正面に備えられた液晶ディスプレィは、内蔵されたＣＤ−ＲＯＭ等に記録された映像・音声データを出力する。
【０００５】
このような自動販売機に備えられる液晶ディスプレィ装置を説明する。図４に示すように、液晶ディスプレィ装置９は、正面側に液晶ディスプレィが備えられ（図４においては省略）、背面側に記録媒体再生装置２が備えられている。正面側の液晶ディスプレィは自動販売機の正面から露出するように自動販売機に取り付けられ、背面側に備えられた記録媒体再生装置２によって再生された記録媒体の情報を表示するようになっている。
【０００６】
これをカップベンダー型の自動販売機に応用し、例えば、利用者がいない場合には画像・音声データを出力し、利用者がいる場合には、液晶ディスプレィに調節した砂糖等の量を表示するなど、人感センサー等と連動して出力する画像を切替えることが考えられている。もちろん、液晶ディスプレィの前面にタッチパネルを設け、液晶ディスプレィを押圧することによって利用者が砂糖等の量を調節することができるようにすることも併せて考えられている。
【０００７】
【発明が解決しようとする課題】
しかし、カップベンダー型の自動販売機内部には、前述の通り、コーヒーパウダー等の粉末原料が保存されており、販売動作を行うと、選択された飲料に必要な原料が、保存庫から指定量排出される構造になっており、販売動作の度にある程度の原料の粉末が自動販売機内に飛散する。また、これらの粉末原料が不足した場合には、適宜自動販売機を開けて補充するが、補充時にも粉末が飛び散ることがある。飛び散った粉末をそのままにして自動販売機を閉めると、自動販売機を冷却するために備えられたファン等により、自動販売機内部での空気の対流によって、記録媒体再生装置内部２に粉末が侵入し、そして記録媒体を読みとるヘッドに付着してしまうという問題がある。当然、ヘッドに付着した粉末は記録媒体の読みとりを阻害し、映像・音声等がとびとびになったり、最悪の場合、記録媒体再生装置２が故障してしまう。
【０００８】
もちろん、飛び散った粉末をその都度除去すればよいのであるが、直接、人の手が届かない箇所に粉末が飛び散ってしまうことも多く、複雑なカップベンダー型自動販売機に飛び散った粉末を除去するのは容易ではない。
【０００９】
特に、記録媒体再生装置２は、ＣＤ−ＲＯＭ等の記録媒体を駆動させるモーターを備えるため、このモーターから発熱する熱を逃がさなければならない。そこで、通常、記録媒体再生装置には冷却ファン４が備え付けられるが、冷却ファン４が備え付けられた記録媒体再生装置２を組み込んだ自動販売機用液晶ディスプレィ用装置をカップベンダー型の自動販売機に備え付けた場合、冷却ファンが自動販売機内部におけるコーヒーパウダー等の粉末の対流を促進するだけでなく、粉末が記録媒体再生装置２に集められるため、記録媒体再生装置２内部への粉末の侵入を助長するという問題もある。
【００１０】
本発明は上記課題を解決するためになされ、コーヒーパウダー等の粉末が記録媒体再生装置内部へ侵入することを防止する自動販売機用液晶ディスプレィ装置および当該装置を備えた自動販売機を提供することを目的とする。
【００１１】
【課題を解決するための手段】
上記課題を解決する本発明に係る自動販売機用液晶ディスプレィ装置は、液晶ディスプレィ装置と、前記液晶ディスプレィ装置の背面側に備え、当該液晶ディスプレィ装置の内部に溜まった熱を逃がす通気口と、前記液晶ディスプレィが表示する情報が記録された記録媒体を再生する記録媒体再生装置とが備えられた自動販売機用液晶ディスプレィ装置であって、前記記録媒体再生装置は、外気を吸引して前記記録媒体再生装置を冷却する冷却ファンを備え、前記通気口、前記記録媒体再生装置及び前記冷却ファンを覆う防塵フィルタが備えられている。
【００１２】
記録媒体再生装置のうち背面に露出した部分の少なくとも一部に、背面と略平行に防塵ヒサシが備えられていることが好ましい。また、記録媒体は、記録媒体再生装置に出し入れ可能なトレイに裁置されることが好ましく、より好ましくは、このトレイは自動販売機用液晶ディスプレィ装置の背面に対して斜め方向に移動して記録媒体再生装置に出し入れされる。
【００１３】
本発明に係る自動販売機用液晶ディスプレィ装置には、外気を吸引して記録媒体再生装置を冷却する冷却ファンが背面に露出するように備えられていてもよく、この場合、冷却ファンも防塵フィルタに覆われる。また、記録媒体再生装置の少なくとも一部と冷却ファンとが、自動販売機用液晶ディスプレィ装置の背面から突出していてもよい。同様に、本発明に係る自動販売機用液晶ディスプレィ装置には、その内部を換気するための通気口が自動販売機用液晶ディスプレィ装置の背面に設けられていてもよく、この場合においても、通気口が防塵フィルタに覆われる。
【００１４】
防塵フィルタは、自動販売機用液晶ディスプレィ装置の背面に固定されるフィルタベースと、フィルタベースに装着され、粉末が付着する防塵フィルタ本体とからなることが好ましい。防塵フィルタ本体は、開孔を設けられた２枚の平行なシートと、２枚のシートの間に挟まれた布帛とからなることが好ましい。布帛としては、不織布を挙げることができ、この中でも綿花が好ましい。
【００１５】
具体的なフィルタベースについて説明すると、フィルタベースは、自動販売機用液晶ディスプレィ装置の背面と平行な周囲と、かつ周囲から中心に向かって連続的に設けられた隆起部と、隆起部に囲まれる開口部とを備えている。
【００１６】
隆起部にはスリットが設けられると共に、防塵フィルタ本体の周囲には突起が突出しており、突起がスリットに係合して防塵フィルタ本体が開口部を閉塞するように、防塵フィルタ本体は交換可能であることが好ましい。また、再生装置開口部から引き出されたトレイはフィルタベースの開口部に重なるか、またはこの開口部から出てくることが好ましい。さらにフィルタベースには、自動販売機用液晶ディスプレィ装置に接続されるケーブルが通されるケーブル孔が開口部とは別個に設けられていることが好ましい。
【００１７】
なお、以上説明したような自動販売機用液晶ディスプレィ装置を備えた自動販売機もまた、本発明の趣旨に包含される。
【００１８】
【発明の実施の形態】
以下、本発明を図面と共に詳細に説明する。
図１は、本発明に係る自動販売機用液晶ディスプレィ装置１（以下、単に「液晶ディスプレィ装置」という）の分解斜視図である。図１に示すように、本発明に係る液晶ディスプレィ装置１の背面側には記録媒体再生装置２が備えられている。また、図３に示すように、本発明に係る液晶ディスプレィ装置１の正面側には液晶ディスプレィ８が備えられている。
【００１９】
図１に示すように、この記録媒体再生装置２には、ＣＤ−ＲＯＭ等の記録媒体（図示せず）を裁置するトレイ２１が再生装置開口部２２を介して液晶ディスプレィ装置１の背面側に出し入れされるようになっている。すなわち、記録媒体を交換する際には、再生装置開口部２２からトレイ２１を背面側に引き出し、記録媒体を記録媒体再生装置２にセットする際には、トレイ２１に記録媒体を裁置し、次いで再生装置開口部２２を通してトレイ２１を記録媒体再生装置２に内挿する。また、記録媒体再生装置２には、記録媒体に書き込まれている情報を読み出し、「ピックアップ」とも呼ばれるヘッド（図示せず）と、記録媒体を回転させるモータ（図示せず）とが内蔵されている。
【００２０】
図１においては、ヘッド、モーターをはじめとして、記録媒体再生装置２の大部分は液晶ディスプレィ装置に内蔵されているが、トレイ２１の一端面が液晶ディスプレィ装置外部に露出している。従って、図１においては、トレイ２１が記録媒体再生装置２に内挿された際には、トレイ２１の一端面が再生装置開口部２２を塞ぐようになっている。もちろん、再生装置開口部２２の長手方向の一辺に蓋（図示せず）を揺動自在に設け、トレイ２１を引き出す際には蓋が開き、トレイ２１を内挿する際には蓋が再生装置開口部２２を塞ぐようにしてもよい。
【００２１】
図１に示す液晶ディスプレィ装置１がカップベンダー式の自動販売機に組み込まれた場合、当該カップベンダー式の自動販売機内部で対流するコーヒーパウダー等の粉末は、トレイ２１の一端面の周囲と再生装置開口部２２との間から侵入し、記録媒体再生装置２内部に備えられたヘッドに付着する。
【００２２】
これを防止するため、本発明においては、図１に示すように、液晶ディスプレィ装置１の背面に、液晶ディスプレィ装置１の背面を覆うように、防塵フィルタ３が固定されている。より詳細に説明すると、液晶ディスプレィ装置１の背面の四隅には雌ねじ２９が埋め込まれていると共に、防塵フィルタ３を構成するフィルタベース３１には、雌ねじ２９に対応する四隅に切り欠き３９が設けられており、４本の雄ねじ（図示せず）をそれぞれこの切り欠き３９に貫通させて雌ねじ２９に螺合させることにより、図２に示すように、液晶ディスプレィ装置１の背面に防塵フィルタ３が固定されている。
【００２３】
このように、本発明においては、液晶ディスプレィ装置１の背面を防塵フィルタ３が覆っているので、コーヒーパウダー、空気中の塵芥、自動販売機の外部から侵入したタバコの煙などの粉末（微粉末を含む）は防塵フィルタ３によりカットされ、清浄な空気が防塵フィルタ３内部に取り込まれる。従って、記録媒体再生装置２に侵入する粉末の量を大きく低減させることができるため、粉末が記録媒体再生装置２内部に備えられたヘッドに付着することもほとんどなくなる。
【００２４】
本発明においては、少なくともコーヒーパウダー等の粉末が侵入し得るトレイ２１の一端面の周囲と再生装置開口部２２との間に清浄な空気が送られてくればよく、従って防塵フィルタ３は少なくともこの間を覆っていればよい。しかし、実際には、上述のように、記録媒体再生装置２には、通常、内蔵されているモーター（図示せず）等を冷却する冷却ファン４が積み重ねられるようにして備えられている。図１に示すように、本発明においても、外気を吸引して記録媒体再生装置２を冷却する冷却ファン４が液晶ディスプレィ装置１の背面に備えられている。
【００２５】
このような冷却ファン４は、自動販売機の内部での粉末等の対流を助長するが、本発明においては、図１に示すように、冷却ファン４もまた、防塵フィルタ３に覆われていることが好ましい。これにより冷却ファン４によって記録媒体再生装置２に集められて来たコーヒーパウダー等の粉末をカットすることができ、冷却ファン４には常に清浄な空気が吸引されるため、粉末、塵芥等によって記録媒体再生装置２をはじめ液晶ディスプレイ装置１に悪影響がもたらされることを低減できる。
【００２６】
また、通常、液晶ディスプレイ装置１の背面には、図１に示すように、内部に溜まった熱を逃がすべく、通気口５が設けられていることが多い。すなわち、通気口５は内部に溜まった熱によって暖められた空気を外部に排出し、外部から空気を吸い込み、これを繰り返すという換気のために設けられていることが多い。このような通気口５もまた、防塵フィルタ３に覆われていることが好ましい。これにより、通気口５を介して常に清浄な空気によって液晶ディスプレイ装置１の内部を換気することができるため、塵芥、粉末等により液晶ディスプレイ装置１が故障する可能性も低減できる。
【００２７】
本発明においては、トレイ２１の一端面の周囲と再生装置開口部２２との間に粉末をさらに侵入し難くするため、図３に示すように、再生装置開口部２２の一辺または周囲に沿って背面と略平行に防塵ヒサシ２４を備え付けることが好ましい。
【００２８】
ところで、自動販売機には液晶ディスプレイ装置１の他、様々な装置が備え付けられるため、液晶ディスプレイ装置１をできる限り小型化することが望まれる。ここで、トレイ２１が再生装置開口部２２から出し入れされるような記録媒体再生装置２を液晶ディスプレイ装置１に組み込もうとして、例えば、液晶ディスプレイ装置１の側面１８からトレイ２１が再生装置開口部２２から出し入れされるような構造とした場合、トレイ２１を引き出した際にトレイ２１が液晶ディスプレイ装置１からはみ出てしまい、液晶ディスプレイ装置１が全体として大型化してしまう。他、例えば、液晶ディスプレイ装置１の背面に記録媒体再生装置２全体を突出させるようにした場合には、トレイ２１を引き出した際にトレイ２１が液晶ディスプレイ装置１の外枠１９からはみ出てしまうことはなくなるが、液晶ディスプレイ装置１の背面に記録媒体再生装置２全体が突出しているので、やはり液晶ディスプレイ装置１が全体として大型化してしまう。
【００２９】
そこで、本発明においては、図１に示すように、トレイ２１が液晶ディスプレイ装置１の背面に対して斜め方向（図１の矢印方向）に移動することにより、液晶ディスプレイ装置１の背面側に備えられた記録媒体再生装置２に出し入れされるようにし、再生装置開口部２２以外の記録媒体再生装置２の部分は液晶ディスプレィ装置１に内蔵されていることが好ましい。この場合、再生装置開口部２２も液晶ディスプレィ装置１の背面に対して斜め方向に傾いていることが好ましい。
【００３０】
このように、トレイ２１が斜め方向に移動して記録媒体再生装置２に出し入れされる場合には、トレイ２１を引き出した際にトレイ２１が液晶ディスプレイ装置１の外枠１９からはみ出てしまうことがなくなる上、液晶ディスプレイ装置１の背面からは再生装置開口部２２のみが突出しているので、液晶ディスプレイ装置１の厚みを薄くすることができ、従って液晶ディスプレイ装置１を小型化することができる。これにより、液晶ディスプレイ装置１の背面に備えられる防塵フィルタ３の厚みも薄くすることができる。
【００３１】
防塵フィルタ３は液晶ディスプレイ装置１の背面に備えられるが、前述したように、本発明においては、トレイ２１が斜め方向に移動して記録媒体再生装置２に出し入れされるために再生装置開口部２２が液晶ディスプレィ装置１の背面から突出していることが望まれる。これに適したフィルタベース３１は、その周囲３１１が液晶ディスプレイ装置の背面と略密着するように、背面と平行になっている。そして、周囲３１１から中心に向かっては、背面に対して略垂直になるように隆起部３１２が隆起している。そして、図１に示すように、フィルタベース３１の中央には隆起部３１２によって囲まれる開口部３１３が開けられている。この開口部３１３は防塵フィルタ本体３５により塞がれている。本実施の形態においては、フィルタベース３１を硬質プラスチックから一体形成しており、そのため周囲３１１と隆起部３１２とは連続するように形成されているが、もちろん、周囲３１１と隆起部３１２とを別の部品から構成してもよい。
【００３２】
フィルタベース３１は、上述したような隆起部３１２を有するため、液晶ディスプレィ装置１の背面から突出する再生装置開口部２２および冷却ファン４をすっぽりと覆うことができる。また、冷却ファン４に求められる冷却能力に応じて冷却ファン４と防塵フィルタ本体３５との間の距離を設定し、これに合わせて隆起部３１２の高さを適切に変更すれば、半ば密封されたような防塵フィルタ３と液晶ディスプレィ装置１との間の空間に備えられた冷却ファン４の冷却能力を低下させることもなくなる。
【００３３】
防塵フィルタ３を、液晶ディスプレイ装置の背面に固定されるフィルタベース３１と、このフィルタベース３１に装着される防塵フィルタ本体３５とに分けて構成することにより、粉末等が付着した防塵フィルタ３から当該粉末を除去する際には、防塵フィルタ本体３５をフィルタベース３１から取り外し、新しい防塵フィルタ本体３５をフィルタベース３１に取り付けるだけでよく、この交換作業は大変簡単にでき、手間もかからないので、防塵フィルタ３から粉末を容易に除去することができる。
【００３４】
具体的な防塵フィルタ本体３５の交換作業を説明すると、図１に示すように、フィルタベース３１の隆起部３１２にはスリット３６が４カ所に設けられている一方、防塵フィルタ本体３５の周囲からはこのスリット３６に対応するように４つの突起３５１が突出している。防塵フィルタ本体３５を交換する際には、まず粉体等が付着した交換すべき防塵フィルタ本体３５を少しだけ撓ませ、各突起３５１と各スリット３６との係合を解き、次いで新しい防塵フィルタ本体３５を少しだけ撓ませ、各突起３５１を各スリット３６に合わせて挿入してスリット３６に突起３５１を係合させる。なお、このような防塵フィルタ本体３５は面に垂直な方向に可撓性を有していることはいうまでもない。
【００３５】
また、記録媒体再生装置２にセットされる記録媒体を交換する場合においても、防塵フィルタ本体３５を一旦取り外した後にトレイ２１を再生装置開口部２２から引き出せば記録媒体を取り出すことができ、防塵フィルタ３全体を液晶ディスプレィ装置１の背面から取り外す必要が無い。従って、フィルタベース３１を背面に固定したまま記録媒体を交換することができる。
【００３６】
再生装置開口部２２から引き出されたトレイ２１がフィルタベース３１の開口部３１３に重なるか、または開口部３１３をまたぐようにして開口部３１３から出てくるようにすれば、手に持った記録媒体をフィルタベース３１内で動かす必要もなくなり、フィルタベース３１を意識せずに容易に記録媒体を交換することができる。
【００３７】
また、防塵フィルタ本体３５に用いられるフィルタとしては、金網および布帛を挙げることができる。このようなフィルタによって、記録媒体再生装置２に侵入し得るコーヒーパウダー等の粉末などを含んだ空気から当該粉末が選択的に分離され、清浄な空気が防塵フィルタ３内部に取り込まれる。布帛は金網と比較して目が細かいので、コーヒーパウダー等の粉末がより確実に付着し、効率よく粉末等を分離できる。また、布帛の中でも、粉末をより効率的に付着させるためには、織布のように目のあるものよりも、不織布のように目のないものの方が好ましい。
【００３８】
不織布としてはフェルト、綿花等を挙げることができるが、防塵フィルタ３と外部との間で空気をスムーズに往来させ、なおかつ効率よく空気に含まれる粉末、塵芥を除去するという観点から綿花を用いることが好ましい。織布やフェルトを用いた場合には、防塵フィルタ本体３５の周囲にこれらを貼り付けて固定すればよいが、綿花は織布やフェルトと比較してふわふわとしているため、防塵フィルタ本体３５の内周に綿花を貼り付けるだけでは十分に固定されない。特に、冷却ファン４が防塵フィルタ３に覆われる場合には、フィルタは冷却ファン４により防塵フィルタ３内部に吸引されるため、フィルタは防塵フィルタ本体３５の内周に確実に固定されることが望まれる。
【００３９】
このため、本発明においては、図１に示すように、防塵フィルタ本体３５を
それぞれ所定位置に開孔３５２が設けられ、間に綿花を挟む２枚の平行なシート３５３から構成することが好ましい。この場合、綿花は２枚のシートの間に挟まれて確実に固定され、冷却ファン４が綿花を吸引することを抑制することができる。シート３５３に設けられる開孔３５２の形状は特に限定されないが、間に挟まれる綿花を確実に固定すると共に、できる限り綿花を外部に露出させてフィルタ能力を高めるため、図１に示すように、格子状に区切りを残すように長方形の開孔３５２をマトリックス状にならべたような形状であることが好ましい。もちろん、２枚の平行なシート３５３の間には、綿花以外の不織布、および織布を挟んでもよい。また、必要に応じて、２枚以上の金網または布帛を重ねることにより、目を細かくしても良い。
【００４０】
また、液晶ディスプレィ装置１に対して電源等を供給するケーブル（図示せず）は、液晶ディスプレィ装置１の背面から延びだしていることが多い。一方、本実施の形態においては、図１に示すように、液晶ディスプレィ装置１の背面を覆うようにして防塵フィルタ３が取り付けられる。そのため、図１に示すように、防塵フィルタ３には開口部３１３とは別にケーブル孔３８を設け、これにケーブルを通すことが好ましい。このようなケーブル孔３８は、複数本のケーブルを束ねる役割をも有する。
【００４１】
上記の説明においては、フィルタベース３１と防塵フィルタ本体３５とは別々に分離されるようになっているが、フィルタベース３１と防塵フィルタ本体３５とを一体に成型しても良い。なお、いうまでもないが、本発明に係る自動販売機用液晶ディスプレィ装置は、正面側の液晶ディスプレィ８が正面から露出するように自動販売機に組み込まれて用いられる。
【００４２】
また、上記の説明においては、記録媒体は再生装置開口部２２から出し入れされるトレイ２１に裁置されて記録媒体再生装置２内に出し入れされることとしたが、ポーダブル型ＣＤプレーヤーのように、揺動する蓋を取り付け、記録媒体を交換する際にはこの蓋を開け閉めするようにしてもよい。この場合、蓋の周囲からコーヒーパウダー等の粉末が侵入するため、フィルタ３は蓋の周囲を覆っていればよく、また、防塵ヒサシは蓋の周囲をふさぐように備えられる。
【００４３】
上記の説明においては、記録媒体記録装置２としてはいわゆるＣＤ−ＲＯＭプレーヤーを例にして説明したが、記録媒体記録装置２としてはこれに限らず、例えば、ＤＶＤ−ＲＡＭ再生装置、ＤＶＤ−ＲＯＭ再生装置であってもよく、あるいは、フロッピィディスクドライブ、光ディスクドライブ、ＭＤドライブのように、記録媒体をスリットに挿入することにより、このスリットをふさいでいる蓋を押し上げるようにして記録媒体がセットされるような再生装置であってもよい。
【００４４】
【発明の効果】
上記のように、本発明においては、記録媒体再生装置のうち、再生装置開口部のような、背面に露出した部分を覆う防塵フィルタが背面側に備えられていることにより、コーヒーパウダー等の粉末が記録媒体再生装置の内部に侵入することが防止される。これにより、記録媒体再生装置が自動販売機の内部を対流する粉末により故障する可能性を低減できる。
【００４５】
また、当該背面に露出した部分の少なくとも一部に防塵ヒサシを備えることにより、自動販売機の内部で対流する粉末が記録媒体再生装置の内部に侵入することをより効果的に防止できる。
【００４６】
記録媒体を裁置してトレイが液晶ディスプレィ装置の背面に対して斜め方向に移動して記録媒体再生装置に出し入れされる構造にすれば、液晶ディスプレィ装置の小型化を図ることができる。
【００４７】
また、通常、記録媒体再生装置２を冷却する冷却ファンが取り付けられ、コーヒーパウダー等の粉末は記録媒体再生装置に集まってくるが、このような場合においても、防塵フィルタが冷却ファンを覆うようにすれば、粉末が記録媒体再生装置の内部に侵入することを効果的に防止できる。
【００４８】
同様に、液晶ディスプレィ装置の内部を換気するための通気口が設けられた場合でも、この通気口を防塵フィルタが覆うようにすれば、液晶ディスプレィ装置の内部に粉末が侵入することを防止できる。
【００４９】
防塵フィルタを、液晶ディスプレィ装置の背面に固定されるフィルタベースと、このフィルタベースに装着される防塵フィルタ本体とに分離することにより、粉末等が付着した防塵フィルタ本体を簡単に交換できる。
【００５０】
開孔を設けられた２枚の平行なシートの間に綿花が挟まれた防塵フィルタ本体を用いた場合には、綿花により非常に効率よく粉末等を分離することができるだけでなく、綿花をしっかりと固定できる。特に、防塵フィルタ内部に冷却ファンを備えた場合でも、ふわふわな綿花が冷却ファンに吸引されることがない。
【００５１】
フィルタベースが、その周囲から中心に向かって隆起した構造とすることにより、記録媒体再生装置の一部および冷却ファンが背面から突出している場合でも、隆起部の高さを任意に調節することにより、冷却ファンの性能を維持することができる。
【００５２】
また、再生装置開口部から引き出されたトレイがフィルタベースの開口部に重なるか、または開口部から出てくるようにすれば、フィルタベースを意識せずに簡単に記録媒体を交換することができる。
【００５３】
開口部とは別個にフィルタベースにケーブル孔を設けることにより、液晶ディスプレィ装置に電源等を供給するケーブルをその背面に接続することができる。また、ケーブルが複数本接続されている場合には、ケーブル孔によりそれらのケーブルを束ねることができる。
【００５４】
このように、本発明により、記録媒体再生装置内部に粉末が侵入することが防止されるので、記録媒体を読みとるヘッドに付着してしまうこともなく、したがって、映像・音声等がとびとびになったり、最悪の場合、記録媒体再生装置が故障してしまうということが低減される。
【００５５】
また、特に冷却ファンを組み込み、さらに防塵フィルタ本体をフィルタベースに着脱可能にすれば、冷却ファンによって自動販売機内部の空気が集められ、これが防塵フィルタ本体に付着するが、容易に防塵フィルタ本体を交換することができるので、粉末を除去することが容易になる。
【００５６】
従って、本発明により、コーヒーパウダー等の粉末が記録媒体再生装置内部へ侵入することを防止する自動販売機用液晶ディスプレィ装置および当該装置を備えた自動販売機が提供される。
【図面の簡単な説明】
【図１】  本発明に係る自動販売機用液晶ディスプレィ装置１を背面側から見た分解斜視図
【図２】  本発明に係る自動販売機用液晶ディスプレィ装置１を背面側から見た斜視図
【図３】  本発明に係る自動販売機用液晶ディスプレィ装置１を正面側から見た分解斜視図
【図４】  従前の自動販売機用液晶ディスプレィ装置１を背面側から見た斜視図
【符号の説明】
１  自動販売機用液晶ディスプレィ装置
１８  （自動販売機用液晶ディスプレィ装置）の側面
１９  （自動販売機用液晶ディスプレィ装置）の外枠
２  記録媒体再生装置
２１  トレイ
２２  再生装置開口部
２４  防塵ヒサシ
２９  雌ねじ
３  防塵フィルタ
３１  フィルタベース
３１１  （フィルタベース）の周囲
３１２  （フィルタベース）の隆起部
３１３  （フィルタベース）の開口部
３５  防塵フィルタ本体
３５１  突起
３５２  開孔
３５３  シート
３６  スリット
３８  ケーブル孔
３９  切り欠き
４  冷却ファン
５  通気孔
８  液晶ディスプレィ
【図１】
0004242030.tif 000002
【図２】
0004242030.tif 000003
【図３】
0004242030.tif 000004
【図４】
0004242030.tif 000005